(57)【要約】【課題】ピン型保持器について、寸法管理および組み立てを容易とする。【解決手段】両側板１１の周方向に等間隔を置いてねじ孔１１ａを設け、各ピン１２の両端に左右逆向きのねじ部１２ａを設け、これらをねじ結合する。組み立て時に熱を加えないため、寸法関係に狂いが生じず、管理が容易である。また、一方側板１１へのピン１２の右ねじ部１２ａのねじ込み動作が、他方側板１１へのピン１２の左ねじ部１２ａのねじ込み動作を兼ねるため、ピン１２と両側板１１とを同時にねじ結合でき、組み立てが容易である。【選択図】図４
2008202754.tif 000002
【特許請求の範囲】
【請求項１】
対向する一対の円環状側板間に、中空ころを等配するピンを複数設けた軸受用の保持器において、
前記各ピンの一端に右ねじ部を、他端に左ねじ部をそれぞれ形成し、前記両側板にその周方向に等間隔を置いて並列するねじ孔をそれぞれ設け、この側板とピンとをねじ結合したことを特徴とする軸受用の保持器。
【請求項２】
上記各ピンの左右ねじ部のそれぞれ内端部に、ねじ結合した状態で側板が当たる肩部を形成した請求項１に記載の軸受用の保持器。
【請求項３】
上記各ピンの端面に、回転工具の係合部を設けた請求項１または２に記載の軸受用の保持器。
【発明の詳細な説明】
【技術分野】
【０００１】
この発明は、対向する一対の円環状側板間に、中空ころを等配して保持するピンを設けた保持器について、その側板とピンとの接続構造に特徴のあるものに関する。
【背景技術】
【０００２】
対向する一対の円環状側板間に、中空ころを等配して保持するピンを設けた、いわゆるピン型保持器が知られている。
【０００３】
従来、この種の保持器は、一方側板の周方向に等間隔を置いて並列する複数のねじ孔と、各ピンの一端に形成されたねじ部とをねじ結合し、他方側板とピンの他端とは溶接するのが一般的であった。
【０００４】
しかし、このように側板とピンとを溶接すると、熱が加わることにより、これら部品が膨張、変形するため、組み立て後の寸法管理が難しく、組み立ての精度にばらつきがあった。
【０００５】
一方で、特許文献１に記載されているように、他方側板に、周方向に等間隔を置いて並列する複数の貫通孔を設け、各ピンの他端にもねじ部を形成し、この他端を側板の貫通孔に通し、別途用意したナットにねじ結合することも知られている。
【０００６】
この場合、側板とピンの接続時には熱が加わらず、この限りにおいては、上記した問題は解消されている。
しかし、ピンとねじ結合したナットが緩まないように、通常は、ナットを側板に固定するが、これを溶接により行うとすると(特許文献１、図１参照)、部品が膨張、変形するため、寸法管理に関する問題が再び生じる。
また、側板とピン以外にナットも要るため、部品点数が増え、さらに、ピンの両端ねじ部を、それぞれ一方側板およびナットに個別にねじ結合する必要があるため、組み立てに時間と手間がかかる。
【特許文献１】特開平１１−１７３３３４号公報
【発明の開示】
【発明が解決しようとする課題】
【０００７】
そこで、この発明の解決すべき課題は、ピン型保持器について、その寸法管理を容易とし、また、その組み立てを容易にすることである。
【課題を解決するための手段】
【０００８】
上記した課題を解決するため、ピン型保持器について、各ピンの一端に右ねじ部を、他端に左ねじ部をそれぞれ設け、両側板に、その周方向に等間隔を置いて並列するねじ孔を設け、側板とピンとをねじ結合する構成を採用したのである。
【０００９】
このように、ピンと両側板とをねじ結合すれば、溶接などのように熱を加える必要がないため、部品が変形、膨張等する心配が無く、寸法管理が容易である。
【００１０】
また、ピンの両端でねじの向きが逆になっているため、一方側板にピンの右ねじ部をねじ込んでいく動作が、同時に他方側板にピンの左ねじ部をねじ込んでいく動作をも兼ねることになる。
そのため、ピンを一方向に回転させるだけで、ピンが両方の側板に同時にねじ結合されるため、保持器の組み立てが簡単となる。
【００１１】
また、保持器の部品は、側板とピンだけであり、従来例のようにナットを用意する必要が無いため、部品点数が少なくてすむ。
【００１２】
さらに、ピンの左右ねじ部のそれぞれ内端部に、ねじ結合した状態で側板が当たる肩部を形成すると、ねじ込み時に側板がこの肩部に当たって止まるため、ねじの抜けが防止される。
【００１３】
また、ピンの端面に回転工具の係合部を設けると、工具を用いてピンを回転させやすくなるため、保持器の組み立てがさらに容易となる。
【発明の効果】
【００１４】
ピンの両端にねじ部を、側板にねじ孔をそれぞれ形成し、これらをねじ結合する構成を採用したため、組み立て時に熱が加わらず、寸法管理が容易である。
【００１５】
また、ピンの両端でねじの向きを逆向きとしたことで、ピン一端の一方側板へのねじ込み動作が、ピン他端の他方側板へのねじ込み動作を兼ね、ピンと両側板との結合が同時に行えるため、組み立てが容易である。
【発明を実施するための最良の形態】
【００１６】
以下、図面を参照しつつ、この発明の実施の形態について説明する。
【００１７】
図１に示す、単列円筒ころ軸受１は、内輪２と、外輪３と、これら内外輪２，３の間に配置された中空の円筒ころ４と、この円筒ころ４を等配して保持する保持器１０とからなる。
【００１８】
詳しくは図示のように、内輪２の外周面は、その軸方向両側に鍔部２ａが設けられており、この鍔部２ａの間に形成される軌道面２ｂと、これに対向する外輪３内周面の軌道面３ａの間に、各円筒ころ４は挟み込まれ、その転動面は、軌道面２ｂ、３ａに接している。
【００１９】
この内輪２は、工作機械等の主軸外周に嵌め合わされ、外輪３は、ハウジング等の開口外周に嵌め合わされ、主軸が回転すると、これに従って内輪２が回転し、軌道面２ｂ、３ａに沿って円筒ころ４が回転することにより、軸受１は主軸を回転可能な状態で支持している。
【００２０】
また、実施形態の保持器１０は、図２および図３に示すように、対向する一対の円環状の側板１１と、両端部が各側板にそれぞれ結合された複数のピン１２とからなる、いわゆるピン型保持器である。
図示のように、このピン１２は、側板１１の周方向に等間隔を置いて並列しており、これが中空の円筒ころに差し込まれることで、保持器１０は円筒ころをその周方向に等配して回転可能に保持する。
【００２１】
両側板１１は、相似形であって、その周方向に等間隔を置いて並列するねじ孔１１ａがそれぞれ形成されている。
そして、一方側板と他方側板とが反転した状態で対向しているため、そのねじ孔１１ａのねじの向きは逆向きとなっている。
【００２２】
また、ピン１２の両端部には、その一端には、ねじの向きが右向きの右ねじ部１２ａが、他端には、ねじの向きが左向きの左ねじ部１２ａがそれぞれ設けられている。
また、この両ねじ部１２ａは、ピン１２の非ねじ部よりも径が小さく形成されているため、両ねじ部１２ａの内端部に相当する、ねじ部１２ａと非ねじ部との境界は段となっている。
さらに、ピン１２の一方端面には、レンチを係合可能な四角柱状の凸部１２ｂが形成されている。
【００２３】
ここで、側板１１とピン１２とは、後に詳述する組み立て方法により、両側板１１のねじ孔１１ａに、ピン１２両端のねじ部１２ａがそれぞれねじ込まれることで結合されている。
このように、側板１１とピン１２の結合時に熱が加わらないため、部品が膨張、変形する心配が無く、寸法管理が容易であり、組み立て精度が高い。
【００２４】
なお、この保持器１０は、軸受１に組み込む際には、側板１１とピン１２のねじ結合が緩んで、分解してしまわないように、軸受１の回転方向にねじの締め込み方向を合わせておくのが好ましい。
【００２５】
この保持器１０は、以下のようにして組み立てられる。
まず、図４(ａ)のように、一対の側板１１を反転させた状態で対向させ、各ねじ孔１１ａに、各ピン１２の両端の左右ねじ部１２ａを、ねじの向きを合わせた状態で対向させる。  
【００２６】
次に、凸部１２ｂにレンチを係合させてピン１２をねじ込み方向に回転させると、図４(ｂ)のように、各ピン１２の右ねじ部１２ａが、一方側板１１のねじ孔１１ａにねじ込まれると同時に、左ねじ部１２ａも他方側板１１のねじ孔１１ａにねじ込まれる。
こうして、ピン１２の回転に従って、図中矢印で示すように、側板１１が両側からピン１２側に引き寄せられていく。
【００２７】
最後に、図４(ｃ)のように、両側板１１とピン１２が十分にねじ込まれると、側板１１がピン１２のねじ部１２ａ内端部の段に当たって、ねじ込みが止まり、ねじの抜けが防止される。
このように一方側板１１とピン１２との結合および他方側板１１とピン１２との結合を同時に行えるため、組み立てに時間と手間がかからない。
【００２８】
なお、この例では、保持器１０を単列ころ軸受１に用いているが、複列ころ軸受に用いることもでき、その際にも軸受の回転方向とねじの締め付け方向とを合わせて組み込むのが好ましい。
【００２９】
また、保持器１０の材質は、特に限定されず、合成樹脂や金属、または側板１１を金属製、ピン１２を合成樹脂製とするなどしても良い。
【００３０】
この例では、ピン１２の端面に設けた係合部を、四角柱状の凸部１２ｂとしているが、回転工具を係合可能であれば、形状はこれに限定されない。
例えば、係合部を、図５(ａ)の四角穴や、図５(ｂ)の六角穴のような凹部１２ｃとしても良い。
【００３１】
この例では、ピン１２のねじ部１２ａの径を小さくし、ピン１２の非ねじ部との境界に段を設けたが、ねじ込み時に側板１１を当てる構成は、これに限定されず、例えば、ねじ部の内端部に鍔を設けてもよい。
【図面の簡単な説明】
【００３２】
【図１】単列ころ軸受の要部を示す断面図
【図２】保持器の全体斜視図
【図３】保持器の要部分解斜視図
【図４】保持器の組立を示す模式図
【図５】ピンの他の例を示す斜視図
【符号の説明】
【００３３】
１  軸受
２  内輪
２ａ  鍔部
２ｂ  軌道面
３  外輪
３ａ  軌道面
４  中空円筒ころ
１０  保持器
１１  側板    
１１ａ  ねじ孔
１２  ピン
１２ａ  ねじ部
１２ｂ  凸部
１２ｃ  凹部
【図１】
2008202754.tif 000003
【図２】
2008202754.tif 000004
【図３】
2008202754.tif 000005
【図４】
2008202754.tif 000006
【図５】
2008202754.tif 000007